【手続補正書】
【提出日】平成18年12月5日(2006.12.5)
【手続補正１】
【補正対象書類名】特許請求の範囲
【補正対象項目名】全文
【補正方法】変更
【補正の内容】
【特許請求の範囲】
【請求項１】
メッセージを受信するメッセージ受信手段と、
前記メッセージ受信手段にて受信したメッセージからコンテンツを指定するコンテンツ指定情報を取得するコンテンツ指定情報取得手段と、
前記コンテンツ指定情報取得手段にて取得したコンテンツ指定情報が指定するコンテンツの制御を行うコンテンツ制御手段とを備えることを特徴とする、コンテンツ視聴指示装置。
【請求項２】
さらに、前記コンテンツ指定情報取得手段にて取得したコンテンツ指定情報を記憶するコンテンツ指定情報記憶手段を備えることを特徴とする、請求項１に記載のコンテンツ視聴指示装置。
【請求項３】
さらに、
前記コンテンツ制御手段が、前記コンテンツ指定情報に基づいて、前記コンテンツ指定情報の指定するコンテンツを蓄積するコンテンツ蓄積手段と、
前記コンテンツ蓄積手段に蓄積したコンテンツに関する情報を記憶するコンテンツ蓄積情報記憶手段とを備えることを特徴とする、請求項１または請求項２のいずれかに記載のコンテンツ視聴指示装置。
【請求項４】
前記コンテンツ制御手段は、前記コンテンツ指定情報に基づいて、前記コンテンツ指定情報の指定するコンテンツの前記コンテンツ蓄積手段への蓄積を予約することを特徴とする、請求項３に記載のコンテンツ視聴指示装置。
【請求項５】
さらに、番組情報を取得する、番組情報取得手段を備え、
前記番組情報取得手段は、前記取得したコンテンツ指定情報の指定するコンテンツに関する、少なくとも放送開始時刻を含んだ番組情報を取得し、現在時刻が、前記取得した放送開始時刻よりも早い時間であれば、前記コンテンツ制御手段は、前記コンテンツ指定情報によって指定されたコンテンツの蓄積予約若しくは視聴予約を行うことを特徴とする、請求項１または請求項２に記載のコンテンツ視聴指示装置。
【請求項６】
前記コンテンツ制御手段は、前記コンテンツ指定情報に基づいて、前記コンテンツ指定情報の指定するコンテンツを蓄積しているかどうかを調べることを特徴とする、請求項３に記載のコンテンツ視聴指示装置。
【請求項７】
前記コンテンツ制御手段は、前記コンテンツ蓄積情報記憶手段内を調べた結果、前記コンテンツ指定情報の指定するコンテンツを蓄積していた場合に、前記蓄積されていたコンテンツを再生することを特徴とする、請求項５に記載のコンテンツ視聴指示装置。
【請求項８】
さらに、番組情報を取得する、番組情報取得手段を備え、
前記番組情報取得手段は、前記取得したコンテンツ指定情報の指定するコンテンツに関する、少なくとも放送終了時刻を含んだ番組情報を取得し、現在時刻が、前記取得した放送終了時刻よりも遅い時間であれば、前記コンテンツ制御手段は、前記コンテンツ蓄積情報記憶手段内の調査を行い、蓄積しているならば、該蓄積コンテンツを再生することを特徴とする、請求項３に記載のコンテンツ視聴指示装置。
【請求項９】
前記コンテンツ制御手段からの指示に基づいて、前記コンテンツ指定情報が指定するチャンネルに切り替えるチャンネル切り替え手段と、
前記チャンネル切り替え手段によって切り替えられたチャンネルを用いてコンテンツを受信するコンテンツ受信手段とを、さらに備えることを特徴とする、請求項１から請求項３のいずれかに記載のコンテンツ視聴指示装置。
【請求項１０】
前記コンテンツ制御手段は、前記コンテンツ指定情報に基づいて、前記チャンネル切り替え手段に対し、前記コンテンツ指定情報が指定するチャンネルに切り替えるためのチャンネル切り替え指示を出すことを予約するチャンネル切り替え予約を行うことを特徴とする、請求項９に記載のコンテンツ視聴指示装置。
【請求項１１】
さらに、番組情報を取得する、番組情報取得手段を備え、
前記番組情報取得手段は、前記取得したコンテンツ指定情報の指定するコンテンツに関する、少なくとも放送開始時刻と放送終了時刻を含んだ番組情報を取得し、現在時刻が、前記取得した放送開始時刻と放送終了時刻の間であれば、前記コンテンツ制御手段は、前記チャンネルの切り替え指示若しくは蓄積を行うことを特徴とする、請求項１から請求項３のいずれかに記載のコンテンツ視聴指示装置。
【請求項１２】
前記コンテンツ制御手段が、前記取得したメッセージを出力する、または、前記いずれかのコンテンツ制御を行った結果を出力することを特徴とする、請求項１から請求項１１のいずれかに記載のコンテンツ視聴指示装置。
【請求項１３】
前記コンテンツ指定情報取得手段は、位置情報を含んだコンテンツ指定情報を取得し、
前記コンテンツ制御手段は、さらに前記コンテンツ指定情報に含まれた位置情報に基づいてコンテンツ制御を行なうことを特徴とする、請求項１から請求項１２のいずれかに記載のコンテンツ視聴指示装置。
【請求項１４】
さらに、装置自身が存在する場所の位置情報を取得する、自位置情報取得手段を備え、
前記コンテンツ制御手段は、前記自位置情報取得手段にて取得した自位置情報と、前記コンテンツ指定情報から取得した位置情報とを比較し、前記位置情報の比較結果に基づいて制御を切り替える手段をさらに備えることを特徴とする、請求項１３に記載のコンテンツ視聴指示装置。
【請求項１５】
さらに、放送エリアに関する情報を得る放送エリア取得手段を備え、
前記放送エリア取得手段によって、前記コンテンツ指定情報とともに受信した位置情報の示す場所が含まれる放送エリアと、前記取得した自位置情報が示す場所が含まれる放送エリアを取得し、両放送エリアを比較することによって、前記位置情報の比較を行う手段をさらに備えることを特徴とする、請求項１４に記載のコンテンツ視聴指示装置。
【請求項１６】
前記放送エリアの比較の結果、放送エリアが異なる場合、前記コンテンツ制御手段は、前記コンテンツ指定情報を、自位置情報が示す場所が含まれる放送エリアに基づいたコンテンツ指定情報に変換する手段をさらに備えることを特徴とする、請求項１５に記載のコンテンツ視聴指示装置。
【請求項１７】
前記コンテンツ指定情報の変換は、特に、番組情報を管理するサーバに対して、コンテンツ指定情報変換依頼を送信し、結果を受信することによって行なうことを特徴とする、請求項１６に記載のコンテンツ視聴指示装置。
【請求項１８】
前記取得したコンテンツ指定情報と、前記コンテンツ指定情報とともに受信した位置情報、もしくは前記コンテンツ指定情報変換依頼の結果取得したコンテンツ指定情報と、前記変換依頼の結果取得したコンテンツ指定情報を決定した位置情報、の少なくともいずれかをそれぞれ関連付けて記憶する手段をさらに備えることを特徴とする、請求項１６または請求項１７に記載のコンテンツ視聴指示装置。
【請求項１９】
コンテンツを制御するコンテンツ制御手段と、
前記コンテンツ制御手段によって制御され、ユーザが視聴したコンテンツまたは視聴しているコンテンツを管理する視聴コンテンツ管理手段と、
前記視聴コンテンツ管理手段にて管理されているコンテンツの中から、将来視聴可能なコンテンツまたは視聴が予定されているコンテンツの指定指示を受け付けるユーザ指示入力受付手段と、
前記ユーザ指示入力受付手段で受け付けたコンテンツ指定指示に基づいて、指定されたコンテンツを指定する情報を作成するコンテンツ指定情報作成手段とを備えることを特徴とする、コンテンツ指定指示装置。
【請求項２０】
前記ユーザ指示入力受付手段は、前記指定されたコンテンツのうち一部分または複数部分をさらに指定する情報をさらに受け付け、前記コンテンツ指定情報作成手段は、前記ユーザ指示に基づいて、前記指定されたコンテンツの一部分または複数部分をさらに指定するコンテンツ指定情報を作成する手段をさらに備えることを特徴とする、請求項１９に記載のコンテンツ指定指示装置。
【請求項２１】
前記コンテンツ指定情報作成手段は、前記指定されたコンテンツの一部分または複数部分を指定するために、前記コンテンツ指定情報に一つまたは複数の時間情報を含める手段をさらに備えることを特徴とする、請求項２０に記載のコンテンツ指定指示装置。
【請求項２２】
前記コンテンツ指定情報に含める時間情報は、ある一瞬を特定する時間情報、または、ある期間を特定する時間情報であることを特徴とする請求項２１に記載のコンテンツ指定指示装置。
【請求項２３】
さらに、時刻を計測する時刻計測手段を備え、
前記コンテンツ指定情報作成手段は、前記指定されたコンテンツの一部または複数部分を指定するために、前記時刻計測手段にて計測した時刻情報を前記コンテンツ指定情報に含める時間情報とすることを特徴とする、請求項２０から請求項２２のいずれかに記載のコンテンツ指定指示装置。
【請求項２４】
さらに、
コンテンツを蓄積するコンテンツ蓄積手段と、
前記コンテンツ蓄積手段にて蓄積しているコンテンツの情報を記憶するコンテンツ蓄積情報記憶手段とを備え、
前記指定指示によって指定されたコンテンツが蓄積コンテンツであった場合、前記コンテンツ指定情報作成手段は、前記コンテンツ蓄積情報記憶手段にて記憶されている蓄積時絶対時間と、前記指定指示が行われたときの前記蓄積コンテンツの再生位置に基づいてコンテンツ指定情報を作成する手段をさらに備えることを特徴とする、請求項２０から請求項２３のいずれかに記載のコンテンツ指定指示装置。
【請求項２５】
前記コンテンツ蓄積情報記憶手段にて記憶されている蓄積時絶対時間と、前記コンテンツ指定指示が行われたときの前記蓄積コンテンツの再生位置に基づいてコンテンツ指定情報を作成するとき、ボタン押下仮定時刻を算出し、前記指定されたコンテンツの一部または複数部分を指定する時間情報とすることを特徴とする、請求項２４に記載のコンテンツ指定指示装置。
【請求項２６】
さらに、コンテンツに関する情報を取得する番組情報取得手段を備え、
前記コンテンツ指定情報作成手段は、前記コンテンツ指定情報作成時に、前記番組情報取得手段を用いて、指定するコンテンツに関する番組情報を取得し、前記コンテンツ指定情報に付加することを特徴とする、請求項１９に記載のコンテンツ指定指示装置。
【請求項２７】
さらに、前記コンテンツ指定情報を含めたメッセージを作成するメッセージ作成手段を備え、
前記メッセージ作成手段は、前記コンテンツ指定情報作成手段によって作成されたコンテンツ指定情報を含めた、転送可能なメッセージを作成することを特徴とする、請求項１９または請求項２６に記載のコンテンツ指定指示装置。
【請求項２８】
前記コンテンツ指定情報作成手段は、コンテンツ指定情報に位置情報を付与する手段をさらに備えることを特徴とする、請求項１９に記載のコンテンツ指定指示装置。
【請求項２９】
コンテンツ蓄積手段に記憶された蓄積コンテンツに基づいてコンテンツ指定情報を作成するとき、前記コンテンツ指定情報作成手段は、前記蓄積コンテンツの蓄積時の場所を示す位置情報を、コンテンツ指定情報に付与する位置情報とすることを特徴とする、請求項２８に記載のコンテンツ指定指示装置。
【請求項３０】
さらに、位置情報を取得する自位置情報取得手段を備え、
前記コンテンツ蓄積手段は、コンテンツを蓄積するときに、前記自位置情報取得手段にて取得した位置情報を、コンテンツ蓄積情報記憶手段に記憶することを特徴とする、請求項２８または請求項２９に記載のコンテンツ指定指示装置。
【請求項３１】
前記コンテンツ指定情報作成手段は、前記自位置情報取得手段にて取得した自位置情報を、前記コンテンツ指定情報に付与する位置情報として使用することを特徴とする、請求項３０に記載のコンテンツ指定指示装置。
【請求項３２】
さらに、前記コンテンツ指定情報を送信する先を記憶するコンテンツ指定情報送信先記憶手段を備え、
前記コンテンツ指定情報送信先記憶手段では、送信先アドレスに加え、送信先の位置情報をさらに記憶し、前記コンテンツ指定情報作成手段は、送信するコンテンツ指定情報を、送信先の位置情報に基づいて、送信先の位置情報に基づいたコンテンツ指定情報へ変換し、変換した結果取得したコンテンツ指定情報を送信先へ送信するコンテンツ指定情報とすることを特徴とする、請求項２８から請求項３１のいずれかに記載のコンテンツ指定指示装置。
【請求項３３】
コンテンツに関する情報を管理するコンテンツ情報サーバ装置であって、
コンテンツ指定情報の変換依頼を受信する受信手段と、
位置情報と放送エリアとの対応を記憶する放送エリア対応記憶手段と、
位置情報に基づいて、前記放送エリア対応記憶手段から放送エリアを検索する放送エリア検索手段と、
放送エリアごとに放送コンテンツを記憶するコンテンツ情報記憶手段と、
前記コンテンツ情報記憶手段からコンテンツを検索するコンテンツ情報検索手段と、
コンテンツ指定情報の変換結果を返信する送信手段とを備え、
前記コンテンツ指定情報変換依頼として前記受信手段にて受信する情報は、少なくとも、コンテンツ指定情報、前記コンテンツ指定情報を決定した元位置情報、ならびに変換を希望する希望位置情報とを含み、
前記コンテンツ情報検索手段は、前記受信した元位置情報に基づいて、前記放送エリア検索手段にて放送エリアを検索し、前記コンテンツ情報検索手段にて前記受信したコンテンツ指定情報の指定するコンテンツを前記検索した放送エリアに基づいて検索し、得られたコンテンツ検索結果を前記希望位置情報の属する放送エリアに基づいて再度検索し、前記コンテンツ検索結果を、前記変換依頼を送信してきた送信元に返信することを特徴とする、コンテンツ情報サーバ装置。
【請求項３４】
メッセージを受信するメッセージ受信ステップと、
前記メッセージ受信ステップにて受信したメッセージからコンテンツを指定するコンテンツ指定情報を取得するコンテンツ指定情報取得ステップと、
前記コンテンツ指定情報取得ステップにて取得したコンテンツ指定情報が指定するコンテンツの制御を行うコンテンツ制御ステップと、
ユーザからの入力を受け付ける、ユーザ指示入力受付ステップと、
前記ユーザ指示入力受付ステップからのユーザ指示に基づいてコンテンツを受信する、コンテンツ受信ステップとを、コンピュータに実行させるためのプログラム。
【請求項３５】
コンテンツを制御するコンテンツ制御ステップと、
前記コンテンツ制御ステップによって制御され、ユーザが視聴したコンテンツまたは視聴しているコンテンツを管理する視聴コンテンツ管理ステップと、
前記視聴コンテンツ管理ステップにて管理されているコンテンツの中からコンテンツを指定するユーザによる指定指示を受け付けるユーザ指示入力受付ステップと、
前記ユーザ指示入力受付ステップで受け付けたコンテンツ指定指示に基づいて指定されたコンテンツを指定する情報を作成するコンテンツ指定情報作成ステップと、
前記コンテンツ指定情報を作成するに先立ち、コンテンツに関する情報を取得する番組情報取得ステップと、
前記コンテンツ指定情報作成ステップで作成したコンテンツ指定情報を含めたメッセージを作成するメッセージ作成ステップと、
位置情報を取得する自位置情報取得ステップとを、コンピュータに実行させるためのプログラム。
【請求項３６】
コンテンツ指定情報の変換依頼を受信する受信ステップと、
位置情報に基づいて、放送エリアを検索する放送エリア検索ステップと、
前記受信したコンテンツ指定情報の変換依頼に基づいてコンテンツを検索するコンテンツ情報検索ステップと、
前記受信したコンテンツ指定情報の変換結果を返信する送信ステップとをコンピュータに実行させるためのプログラム。
【手続補正２】
【補正対象書類名】明細書
【補正対象項目名】０００７
【補正方法】変更
【補正の内容】
【０００７】
上記目的を達成するためこの発明のある局面に従うと、コンテンツ視聴指示装置は、メッセージを受信するメッセージ受信手段と、前記メッセージ受信手段にて受信したメッセージからコンテンツを指定するコンテンツ指定情報を取得するコンテンツ指定情報取得手段と、前記コンテンツ指定情報取得手段にて取得したコンテンツ指定情報が指定するコンテンツの制御を行うコンテンツ制御手段とを備えることを特徴とする。
好ましくはコンテンツ視聴指示装置は、さらに、前記コンテンツ指定情報取得手段にて取得したコンテンツ指定情報を記憶するコンテンツ指定情報記憶手段を備えることを特徴とする。
好ましくはコンテンツ視聴指示装置は、さらに、前記コンテンツ制御手段が、前記コンテンツ指定情報に基づいて、前記コンテンツ指定情報の指定するコンテンツを蓄積するコンテンツ蓄積手段と、前記コンテンツ蓄積手段に蓄積したコンテンツに関する情報を記憶するコンテンツ蓄積情報記憶手段とを備えることを特徴とする。
好ましくは前記コンテンツ制御手段は、前記コンテンツ指定情報に基づいて、前記コンテンツ指定情報の指定するコンテンツの前記コンテンツ蓄積手段への蓄積を予約することを特徴とする。
好ましくはコンテンツ視聴指示装置は、さらに、番組情報を取得する、番組情報取得手段を備え、前記番組情報取得手段は、前記取得したコンテンツ指定情報の指定するコンテンツに関する、少なくとも放送開始時刻を含んだ番組情報を取得し、現在時刻が、前記取得した放送開始時刻よりも早い時間であれば、前記コンテンツ制御手段は、前記コンテンツ指定情報によって指定されたコンテンツの蓄積予約若しくは視聴予約を行うことを特徴とする。
好ましくは前記コンテンツ制御手段は、前記コンテンツ指定情報に基づいて、前記コンテンツ指定情報の指定するコンテンツを蓄積しているかどうかを調べることを特徴とする。
好ましくは前記コンテンツ制御手段は、前記コンテンツ蓄積情報記憶手段内を調べた結果、前記コンテンツ指定情報の指定するコンテンツを蓄積していた場合に、前記蓄積されていたコンテンツを再生することを特徴とする。
好ましくはコンテンツ視聴指示装置は、さらに、番組情報を取得する、番組情報取得手段を備え、前記番組情報取得手段は、前記取得したコンテンツ指定情報の指定するコンテンツに関する、少なくとも放送終了時刻を含んだ番組情報を取得し、現在時刻が、前記取得した放送終了時刻よりも遅い時間であれば、前記コンテンツ制御手段は、前記コンテンツ蓄積情報記憶手段内の調査を行い、蓄積しているならば、該蓄積コンテンツを再生することを特徴とする。
好ましくはコンテンツ視聴指示装置は、前記コンテンツ制御手段からの指示に基づいて、前記コンテンツ指定情報が指定するチャンネルに切り替えるチャンネル切り替え手段と、前記チャンネル切り替え手段によって切り替えられたチャンネルを用いてコンテンツを受信するコンテンツ受信手段とを、さらに備えることを特徴とする。
好ましくは前記コンテンツ制御手段は、前記コンテンツ指定情報に基づいて、前記チャンネル切り替え手段に対し、前記コンテンツ指定情報が指定するチャンネルに切り替えるためのチャンネル切り替え指示を出すことを予約するチャンネル切り替え予約を行うことを特徴とする。
好ましくはコンテンツ視聴指示装置は、さらに、番組情報を取得する、番組情報取得手段を備え、前記番組情報取得手段は、前記取得したコンテンツ指定情報の指定するコンテンツに関する、少なくとも放送開始時刻と放送終了時刻を含んだ番組情報を取得し、現在時刻が、前記取得した放送開始時刻と放送終了時刻の間であれば、前記コンテンツ制御手段は、前記チャンネルの切り替え指示若しくは蓄積を行うことを特徴とする。
好ましくはコンテンツ視聴指示装置は、前記コンテンツ制御手段が、前記取得したメッセージを出力する、または、前記いずれかのコンテンツ制御を行った結果を出力することを特徴とする。
好ましくは前記コンテンツ指定情報取得手段は、位置情報を含んだコンテンツ指定情報を取得し、前記コンテンツ制御手段は、さらに前記コンテンツ指定情報に含まれた位置情報に基づいてコンテンツ制御を行なうことを特徴とする。
好ましくはコンテンツ視聴指示装置は、さらに、装置自身が存在する場所の位置情報を取得する、自位置情報取得手段を備え、前記コンテンツ制御手段は、前記自位置情報取得手段にて取得した自位置情報と、前記コンテンツ指定情報から取得した位置情報とを比較し、前記位置情報の比較結果に基づいて制御を切り替える手段をさらに備えることを特徴とする。
好ましくはコンテンツ視聴指示装置は、さらに、放送エリアに関する情報を得る放送エリア取得手段を備え、前記放送エリア取得手段によって、前記コンテンツ指定情報とともに受信した位置情報の示す場所が含まれる放送エリアと、前記取得した自位置情報が示す場所が含まれる放送エリアを取得し、両放送エリアを比較することによって、前記位置情報の比較を行う手段をさらに備えることを特徴とする。
好ましくはコンテンツ視聴指示装置は、前記放送エリアの比較の結果、放送エリアが異なる場合、前記コンテンツ制御手段は、前記コンテンツ指定情報を、自位置情報が示す場所が含まれる放送エリアに基づいたコンテンツ指定情報に変換する手段をさらに備えることを特徴とする。
好ましくは前記コンテンツ指定情報の変換は、特に、番組情報を管理するサーバに対して、コンテンツ指定情報変換依頼を送信し、結果を受信することによって行なうことを特徴とする。
好ましくはコンテンツ視聴指示装置は、前記取得したコンテンツ指定情報と、前記コンテンツ指定情報とともに受信した位置情報、もしくは前記コンテンツ指定情報変換依頼の結果取得したコンテンツ指定情報と、前記変換依頼の結果取得したコンテンツ指定情報を決定した位置情報、の少なくともいずれかをそれぞれ関連付けて記憶する手段をさらに備えることを特徴とする。
この発明の他の局面に従うとコンテンツ指定指示装置は、コンテンツを制御するコンテンツ制御手段と、前記コンテンツ制御手段によって制御され、ユーザが視聴したコンテンツまたは視聴しているコンテンツを管理する視聴コンテンツ管理手段と、前記視聴コンテンツ管理手段にて管理されているコンテンツの中から、将来視聴可能なコンテンツまたは視聴が予定されているコンテンツの指定指示を受け付けるユーザ指示入力受付手段と、前記ユーザ指示入力受付手段で受け付けたコンテンツ指定指示に基づいて、指定されたコンテンツを指定する情報を作成するコンテンツ指定情報作成手段とを備えることを特徴とする。
好ましくは前記ユーザ指示入力受付手段は、前記指定されたコンテンツのうち一部分または複数部分をさらに指定する情報をさらに受け付け、前記コンテンツ指定情報作成手段は、前記ユーザ指示に基づいて、前記指定されたコンテンツの一部分または複数部分をさらに指定するコンテンツ指定情報を作成する手段をさらに備えることを特徴とする。
好ましくは前記コンテンツ指定情報作成手段は、前記指定されたコンテンツの一部分または複数部分を指定するために、前記コンテンツ指定情報に一つまたは複数の時間情報を含める手段をさらに備えることを特徴とする。
好ましくは前記コンテンツ指定情報に含める時間情報は、ある一瞬を特定する時間情報、または、ある期間を特定する時間情報であることを特徴とする。
好ましくはコンテンツ指定指示装置は、さらに、時刻を計測する時刻計測手段を備え、前記コンテンツ指定情報作成手段は、前記指定されたコンテンツの一部または複数部分を指定するために、前記時刻計測手段にて計測した時刻情報を前記コンテンツ指定情報に含める時間情報とすることを特徴とする。
好ましくはコンテンツ指定指示装置は、さらに、コンテンツを蓄積するコンテンツ蓄積手段と、前記コンテンツ蓄積手段にて蓄積しているコンテンツの情報を記憶するコンテンツ蓄積情報記憶手段とを備え、前記指定指示によって指定されたコンテンツが蓄積コンテンツであった場合、前記コンテンツ指定情報作成手段は、前記コンテンツ蓄積情報記憶手段にて記憶されている蓄積時絶対時間と、前記指定指示が行われたときの前記蓄積コンテンツの再生位置に基づいてコンテンツ指定情報を作成する手段をさらに備えることを特徴とする。
好ましくはコンテンツ指定指示装置は、前記コンテンツ蓄積情報記憶手段にて記憶されている蓄積時絶対時間と、前記コンテンツ指定指示が行われたときの前記蓄積コンテンツの再生位置に基づいてコンテンツ指定情報を作成するとき、ボタン押下仮定時刻を算出し、前記指定されたコンテンツの一部または複数部分を指定する時間情報とすることを特徴とする。
好ましくはコンテンツ指定指示装置は、さらに、コンテンツに関する情報を取得する番組情報取得手段を備え、前記コンテンツ指定情報作成手段は、前記コンテンツ指定情報作成時に、前記番組情報取得手段を用いて、指定するコンテンツに関する番組情報を取得し、前記コンテンツ指定情報に付加することを特徴とする。
好ましくはコンテンツ指定指示装置は、さらに、前記コンテンツ指定情報を含めたメッセージを作成するメッセージ作成手段を備え、前記メッセージ作成手段は、前記コンテンツ指定情報作成手段によって作成されたコンテンツ指定情報を含めた、転送可能なメッセージを作成することを特徴とする。
好ましくは前記コンテンツ指定情報作成手段は、コンテンツ指定情報に位置情報を付与する手段をさらに備えることを特徴とする。
好ましくは、コンテンツ蓄積手段に記憶された蓄積コンテンツに基づいてコンテンツ指定情報を作成するとき、前記コンテンツ指定情報作成手段は、前記蓄積コンテンツの蓄積時の場所を示す位置情報を、コンテンツ指定情報に付与する位置情報とすることを特徴とする。
好ましくはコンテンツ指定指示装置は、さらに、位置情報を取得する自位置情報取得手段を備え、前記コンテンツ蓄積手段は、コンテンツを蓄積するときに、前記自位置情報取得手段にて取得した位置情報を、コンテンツ蓄積情報記憶手段に記憶することを特徴とする。
好ましくは前記コンテンツ指定情報作成手段は、前記自位置情報取得手段にて取得した自位置情報を、前記コンテンツ指定情報に付与する位置情報として使用することを特徴とする。
好ましくはコンテンツ指定指示装置は、さらに、前記コンテンツ指定情報を送信する先を記憶するコンテンツ指定情報送信先記憶手段を備え、前記コンテンツ指定情報送信先記憶手段では、送信先アドレスに加え、送信先の位置情報をさらに記憶し、前記コンテンツ指定情報作成手段は、送信するコンテンツ指定情報を、送信先の位置情報に基づいて、送信先の位置情報に基づいたコンテンツ指定情報へ変換し、変換した結果取得したコンテンツ指定情報を送信先へ送信するコンテンツ指定情報とすることを特徴とする。
この発明の他の局面に従うと、コンテンツに関する情報を管理するコンテンツ情報サーバ装置は、コンテンツ指定情報の変換依頼を受信する受信手段と、位置情報と放送エリアとの対応を記憶する放送エリア対応記憶手段と、位置情報に基づいて、前記放送エリア対応記憶手段から放送エリアを検索する放送エリア検索手段と、放送エリアごとに放送コンテンツを記憶するコンテンツ情報記憶手段と、前記コンテンツ情報記憶手段からコンテンツを検索するコンテンツ情報検索手段と、コンテンツ指定情報の変換結果を返信する送信手段とを備え、前記コンテンツ指定情報変換依頼として前記受信手段にて受信する情報は、少なくとも、コンテンツ指定情報、前記コンテンツ指定情報を決定した元位置情報、ならびに変換を希望する希望位置情報とを含み、前記コンテンツ情報検索手段は、前記受信した元位置情報に基づいて、前記放送エリア検索手段にて放送エリアを検索し、前記コンテンツ情報検索手段にて前記受信したコンテンツ指定情報の指定するコンテンツを前記検索した放送エリアに基づいて検索し、得られたコンテンツ検索結果を前記希望位置情報の属する放送エリアに基づいて再度検索し、前記コンテンツ検索結果を、前記変換依頼を送信してきた送信元に返信することを特徴とする。
この発明のさらに他の局面に従うと、プログラムは、メッセージを受信するメッセージ受信ステップと、前記メッセージ受信ステップにて受信したメッセージからコンテンツを指定するコンテンツ指定情報を取得するコンテンツ指定情報取得ステップと、前記コンテンツ指定情報取得ステップにて取得したコンテンツ指定情報が指定するコンテンツの制御を行うコンテンツ制御ステップと、ユーザからの入力を受け付ける、ユーザ指示入力受付ステップと、前記ユーザ指示入力受付ステップからのユーザ指示に基づいてコンテンツを受信する、コンテンツ受信ステップとを、コンピュータに実行させる。
この発明のさらに他の局面に従うと、プログラムは、コンテンツを制御するコンテンツ制御ステップと、前記コンテンツ制御ステップによって制御され、ユーザが視聴したコンテンツまたは視聴しているコンテンツを管理する視聴コンテンツ管理ステップと、前記視聴コンテンツ管理ステップにて管理されているコンテンツの中からコンテンツを指定するユーザによる指定指示を受け付けるユーザ指示入力受付ステップと、前記ユーザ指示入力受付ステップで受け付けたコンテンツ指定指示に基づいて指定されたコンテンツを指定する情報を作成するコンテンツ指定情報作成ステップと、前記コンテンツ指定情報を作成するに先立ち、コンテンツに関する情報を取得する番組情報取得ステップと、前記コンテンツ指定情報作成ステップで作成したコンテンツ指定情報を含めたメッセージを作成するメッセージ作成ステップと、位置情報を取得する自位置情報取得ステップとを、コンピュータに実行させる。
この発明のさらに他の局面に従うと、プログラムは、コンテンツ指定情報の変換依頼を受信する受信ステップと、位置情報に基づいて、放送エリアを検索する放送エリア検索ステップと、前記受信したコンテンツ指定情報の変換依頼に基づいてコンテンツを検索するコンテンツ情報検索ステップと、前記受信したコンテンツ指定情報の変換結果を返信する送信ステップとをコンピュータに実行させる。
また、以下の構成を備えた発明を提供することもできる。
上記の目的を達成するために、本発明に係るコンテンツ視聴指示装置は、メッセージを受信するメッセージ受信手段と、前記メッセージ受信手段にて受信したメッセージからコンテンツを指定するコンテンツ指定情報を取得するコンテンツ指定情報取得手段と、前記コンテンツ指定情報取得手段にて取得したコンテンツ指定情報が指定するコンテンツの制御を行うコンテンツ制御手段とを備えることを特徴とする、コンテンツ視聴指示装置とする。